(57)【特許請求の範囲】
【請求項１】
基部と、この基部から延びる柱材とを備えた鉄塔における基部及び柱材を介した鉄塔上部への蛇の昇塔を防止する蛇昇塔防止具であって、
柱材の周方向に巻設されて表面に凹凸がない状態で柱材を包囲状として、蛇の昇塔を規制する表面状態とする被覆部材と、
前記被覆部材と柱材との間に形成される隙間の開口部を塞ぐ上下一対の蓋部材と、
前記被覆部材の上下方向辺にそれぞれ付設された枠体とを備え、
前記被覆部材に、前記枠体が互いに離れた状態となる開状態と、前記枠体同士が突合わされた状態となる閉状態とに切り替え可能な開閉部を設け、
前記蓋部材の外周に対応する位置で前記被覆部材を締め付けるバンド部材と、
前記バンド部材の一端部に設けられた留め金と、
前記バンド部材の他端部に設けられると共に、前記留め金に係合する係合位置と、留め金から外れる解錠位置とを取り得る引っ掛け部とを備え、
前記引っ掛け部を前記留め金に対して係合状態とすることで、前記バンド部材が前記被覆部材を締め付け、前記開閉部を閉状態に保持することができ、前記引っ掛け部の前記留め金に対する係合状態を解除することで、前記バンド部材の締め付けが解除され、前記開閉部を開状態とすることができるように構成したことを特徴とする蛇昇塔防止具。
【請求項２】
前記被覆部材を、シート状の網状体を巻設してなる筒体にて構成したことを特徴とする請求項１の蛇昇塔防止具。
【請求項３】
前記被覆部材と前記柱材との隙間を一定に維持するスペーサを設けたことを特徴とする請求項１又は請求項２の蛇昇塔防止具。
【請求項４】
前記被覆部材に連結乃至包囲して、前記被覆部材乃至その近傍の柱材からの蛇の昇塔を規制する包囲体を設けたことを特徴とする請求項１〜請求項３のいずれか１項の蛇昇塔防止具。
【請求項５】
前記包囲体は、前記被覆部材乃至その近傍の柱材の全体を包囲するものであることを特徴とする請求項４の蛇昇塔防止具。
【請求項６】
前記被覆部材は、少なくとも柱材の下端部から、上方に１．５ｍまでの範囲を包囲するものであることを特徴とする請求項１〜請求項５のいずれか１項の蛇昇塔防止具。
【請求項７】
前記被覆部材は、直径２０ｃｍ以上となるように前記柱材を包囲することを特徴とする請求項１〜請求項６のいずれか１項の蛇昇塔防止具。
【発明の詳細な説明】
【技術分野】
【０００１】
本発明は、送電鉄塔の脚部から蛇が昇塔することを防止する蛇昇塔防止具に関する。
【背景技術】
【０００２】
送電鉄塔は、コーナー部を構成する主柱材と、主柱材から補助的に延びる斜材や補助材を備えている。主柱材には、ジョイントやステップボルト等の凸部が設けられている。蛇は主柱材の凸部や、主柱材と補助材との連結部分を足掛かりとして鉄塔によじ登り、そこで送電線等に接触して地絡事故等の電気事故が発生することがある。そこで、このような電気事故を防止するためのものが提案されている（特許文献１）。
【０００３】
特許文献１のものは、表面に円形の突起を有するシートを、鉄塔の脚部を構成する柱材の表面に貼り付けるものである。これにより、蛇の腹側の鱗（腹板）が滑って蛇の昇塔を防止する。また、柱材の表面に蛇が滑りやすくなるための塗装を施して、蛇の昇塔を防止する方法も提案されている。
【先行技術文献】
【特許文献】
【０００４】
【特許文献１】特開２００８−１５４４６１号公報
【発明の概要】
【発明が解決しようとする課題】
【０００５】
しかしながら、特許文献１のように特殊なシートを貼り付けたり表面に塗装を施したりして柱材の表面に防蛇処理を施す方法は、例えば結露が発生しやすい場所では表面にコケが発生することにより、防蛇効果が低減する。また、柱材の径が小さいほど、蛇は柱材に体を巻きつけやすくなるため、昇塔可能となると考えられる。さらに、主柱材には作業員が昇塔するための突起物（ステップ）が存在し、蛇が頭を持上げる範囲にこのような突起物や、柱材同士の連結部が存在すると、蛇が突起物や連結部を伝って昇塔することが可能である。このように、柱材の表面に防蛇処理を行う方法では、蛇の昇塔を十分に防止することができなかった。
【０００６】
そこで、本発明は、上記事情に鑑み、蛇の昇塔防止効果の高い蛇昇塔防止具を提供する。
【課題を解決するための手段】
【０００７】
本発明の蛇昇塔防止具は、基部と、この基部から延びる柱材とを備えた鉄塔における基部及び柱材を介した鉄塔上部への蛇の昇塔を防止する蛇昇塔防止具であって、柱材の周方向に巻設されて表面に凹凸がない状態で柱材を包囲状として、蛇の昇塔を規制する表面状態とする被覆部材と、前記被覆部材と柱材との間に形成される隙間の開口部を塞ぐ上下一対の蓋部材と、前記被覆部材の上下方向辺にそれぞれ付設された枠体とを備え、前記被覆部材に、前記枠体が互いに離れた状態となる開状態と、前記枠体同士が突合わされた状態となる閉状態とに切り替え可能な開閉部を設け、前記蓋部材の外周に対応する位置で前記被覆部材を締め付けるバンド部材と、前記バンド部材の一端部に設けられた留め金と、前記バンド部材の他端部に設けられると共に、前記留め金に係合する係合位置と、留め金から外れる解錠位置とを取り得る引っ掛け部とを備え、前記引っ掛け部を前記留め金に対して係合状態とすることで、前記バンド部材が前記被覆部材を締め付け、前記開閉部を閉状態に保持することができ、前記引っ掛け部の前記留め金に対する係合状態を解除することで、前記バンド部材の締め付けが解除され、前記開閉部を開状態とすることができるように構成したものである。
【０００８】
本発明の蛇昇塔防止具によれば、被覆部材を設けているので表面に凹凸がなくなるため、蛇の足がかりとするものが存在しない。また、被覆部材は柱材よりも外周側を覆うため、柱材よりも大きな外周となって蛇が巻きつく力が小さくなる。また、蓋部材を設けているので、柱材と被覆部材との間にできた隙間に蛇が入り込むのを防止できる。さらには、被覆部材には上下方向に沿った開閉部が設けられているため、作業者が鉄塔を昇塔する際に開閉部を開状態にすると、被覆部材が作業者の昇塔の邪魔になることがない。
【０００９】
前記被覆部材を、シート状の網状体を巻設してなる筒体にて構成することができる。すなわち、シート状の網状体を巻設して構成しているので、変形させやすく種々の鉄塔のサイズに対応することができ、被覆部材の開閉部を開閉しやすいものとなる。また、軽量なため、被覆部材を設置位置まで持ち運びやすく、設置作業が行いやすい。さらに、設置後は被覆部材に雨がたまらない。
【００１０】
前記被覆部材と前記柱材との隙間を一定に維持するスペーサを設けることができる。これにより、被覆部材の中間位置で被覆部材と柱材との間隔を保つことができるため、被覆部材が弛んで柱材に密着するような変形を防止することができる。
【００１１】
前記被覆部材に連結乃至包囲して、前記被覆部材乃至その近傍の柱材からの蛇の昇塔を規制する包囲体を設けることができる。この場合、包囲体は、前記被覆部材乃至その近傍の柱材の全体を包囲するものとできる。これにより、柱材同士の連結部分や、近接する柱材が全て包囲体の内側に配置される。
【００１２】
前記被覆部材は、少なくとも柱材の下端部から、上方に１．５ｍまでの範囲を包囲するものとできる。
【００１３】
前記被覆部材は、直径２０ｃｍ以上となるように前記柱材を包囲することができる。
【発明の効果】
【００１４】
本発明の蛇昇塔防止具は、蛇の足がかりとするものが存在せず、柱材よりも外周が大きくなって蛇が巻きつく力が小さくなり、蓋部材にて柱材と被覆部材との間の隙間に蛇が入り込むのを防止できるため、蛇の昇塔を効果的に防止することができる。また、作業者が鉄塔を昇塔する際には被覆部材が邪魔になることがなく、作業者が昇塔しやすいものとなる。
【００１５】
前記被覆部材を網にて構成すると、変形させやすく種々の鉄塔のサイズにも対応することができて汎用性に優れるとともに、被覆部材の開閉部を開閉しやすいものとなり、使いやすいものとなる。また、軽量なため、被覆部材を設置位置まで持ち運びやすく、設置作業が行いやすいものとなって、取付性・取扱性に優れたものとなる。しかも、設置後は被覆部材に雨がたまらないため、長期にわたって蛇の昇塔防止効果を持続させることができる。
【００１６】
スペーサを設けると、被覆部材が弛んで柱材に密着するような変形するのを防止することができるため、柱材の広範囲にわたって被覆部材と柱材との隙間を一定に維持することができる。これにより、被覆部材が長い場合でも蛇の昇塔防止効果を安定して得ることができる。
【００１７】
前記被覆部材乃至その近傍の柱材の全体を包囲する包囲体を設けると、柱材同士の連結部分や、近接する柱材が全て包囲体の内側に配置されるため、連結部分や近接する柱材を伝って蛇が昇塔するのを防止することができて、種々の鉄塔において効果的に蛇の昇塔を防止することができる。
【００１８】
前記被覆部材は、少なくとも柱材の下端部から、上方に１．５ｍまでの範囲を包囲するものであると、全長が長い蛇の昇塔も防止することができるため、種々の蛇の昇塔を防止することができる。
【００１９】
前記被覆部材は、直径２０ｃｍ以上となるように前記柱材を包囲するものであると、被覆部材の表面が緩やかな曲面となって、蛇が巻きつく力が弱くなり、蛇の昇塔を効果的に防止することができる。
【図面の簡単な説明】
【００２０】
【図１】本発明の第１実施形態を示す蛇昇塔防止具の被覆部材の開閉部が閉状態を示す斜視図である。
【図２】本発明の第１実施形態を示す蛇昇塔防止具の被覆部材の開閉部が開状態を示す斜視図である。
【図３】本発明の第１実施形態を示す蛇昇塔防止具の要部拡大斜視図である。
【図４】本発明の第２実施形態を示す蛇昇塔防止部の被覆部材の開閉部が閉状態を示す斜視図である。
【図５】本発明の第２実施形態を示す蛇昇塔防止部の被覆部材及び包囲体の簡略平面図である。
【発明を実施するための形態】
【００２１】
以下、本発明を実施するための最良の形態について説明する。
【００２２】
図１は、本発明の第１実施形態に係る蛇昇塔防止具を鉄塔１００の脚部に取付けた状態を示す正面図である。この蛇昇塔防止具が取付けられる鉄塔１００（ＭＣ鉄塔）は、図１に示すように、基部３と、この基部３から延びる柱材とを備えている。柱材は、断面円形の鋼管にて構成され、コーナー部に配設される主柱材１と、主柱材１に連結されて主柱材１の下端部から約４５°傾斜する方向に延びる斜材２とがある。鉄塔１００は、４本の主柱材１の上端部が互いに接合されることによって全体として四角推状の外形となっている。この四角錐の頂上部に図示省略の送電線が接合される。主柱材１には複数の突出部（ステップ）４が設けられている。このステップ４を足がかりとして作業者が鉄塔を昇塔することができる。
【００２３】
第１実施形態の蛇昇塔防止具は、図１に示すように、主柱材１と斜材２との夫々に取付けられている。蛇昇塔防止具は、被覆部材１０と、一対の蓋部材１１ａ、１１ｂと、スペーサ１２とから構成されている。
【００２４】
被覆部材１０は、シート状の網状体を円筒状に巻設してなるものである。網状体は、プラスチックネットからなる網本体１９と、この網本体１９の縦辺（上下方向辺）に付設される枠体（Ｃチャンネル）１４ａ、１４ｂとを備え、枠体１４ａ、１４ｂを合わせるように周方向に巻設し、この状態で、その軸方向両端部をバンド部材（Ｄ環）１５ａ、１５ｂで締め付ける。バンド部材１５ａ、１５ｂは、図３に示すように柱材１、２に設けられる蓋部材１１ａ、１１ｂの外周に対応している。これにより、被覆部材１０は図１に示すように、その表面に凹凸がない状態となるように柱材１、２を包囲状として、蛇の昇塔を規制する表面状態としている。この場合、主柱材１に取付けられる被覆部材１０は、主柱材１のステップ４の先端部よりも外周側で主柱材１を包囲する。主柱材１に取付けられる被覆部材１０の直径は２０ｃｍ以上とし、被覆部材１０は、主柱材１の下端部から上方に１．５ｍまでの範囲を包囲するのが望ましい。被覆部材１０を構成する網状体としては、幅方向寸法が６３ｃｍ以上、長さ方向寸法が１．５ｍである。網状体の網の目の寸法は、幅方向寸法が３．９ｍｍ、長さ方向寸法が３．９ｍｍとなっており、蛇が通り抜けるのを規制できる大きさとなっている。
【００２５】
被覆部材１０には、上下方向に沿った開閉部１３が設けられ、この開閉部１３が作業者の出入口となる。る。すなわち、枠体１４ａ、１４ｂが、図２に示すように離れた状態で、開閉部１３が開状態となり、図１に示すように枠体１４ａ、１４ｂを突合せた状態で、開閉部１３が閉状態となる。この開閉部１３を開状態とすると、図２に示すように被覆部材１０は上下方向に沿って開口して、柱材１の表面を露出させる。開閉部１３の開閉は、図３に示すようにバンド部材１５ａ、１５ｂの両端部に設けられる固定手段１６にて行われる。本実施形態では固定手段１６として、引っ掛け部１７が留め金１８に係合する係合位置と、引っ掛け部１７が留め金１８から外れる解錠位置との二位置を取り得るバチン錠を使用している。これにより、バチン錠を係合状態とすると、開閉部１３を閉状態とすることができ、バチン錠の係止状態を解除すると、開閉部１３を開状態とすることができる。
【００２６】
蓋部材１１は、柱材１、２に外嵌されるドーナツ状の平板体である。蓋部材１１は、上側蓋部材１１ａと下側蓋部材１１ｂとを備え、被覆部材１０と柱材１、２との間の隙間の開口部を塞いでいる。本実施形態では、主柱材１に取付けられる蓋部材１１を天然ゴム、斜材２に取付られる蓋部材１１を発泡樹脂にて構成されている。主柱材１において、上側蓋部材１１ａは下側蓋部材１１ｂよりも１．５ｍ上方に設けられている。上側蓋部材１１ａには被覆部材１０の一端部が取付けられており、下側蓋部材１１ｂには被覆部材１０の他端部が取付けられている。
【００２７】
スペーサ１２は、柱材１、２に外嵌されるドーナツ状の平板体であり、スペーサ１２の外径は、蓋部材１１の外径と略同一となっている。本実施形態では、スペーサ１２は、上側蓋部材１１ａと下側蓋部材１１ｂとの中間部に１つ設けられている。このスペーサ１２により、被覆部材１０の中間位置で被覆部材１０と柱材１、２との間隔を保つことができるため、被覆部材１０が弛んで柱材に密着するような変形するのを防止することができる。本実施形態では、スペーサ１２は発泡樹脂にて構成されている。
【００２８】
本発明の蛇昇塔防止具を鉄塔１００の脚部に取付けると、被覆部材１０により表面に凹凸がなくなるため、蛇の足がかりとするものが存在しない。また、被覆部材１０は柱材１、２よりも外周側を覆うため、柱材１、２よりも大きな外周となって蛇が巻きつく力が小さくなる。また、蓋部材１１を設けているので、柱材１、２と被覆部材１０との間にできた隙間に蛇が入り込むのを防止できる。これにより、蛇の昇塔を効果的に防止することができる。さらには、被覆部材１０には上下方向に沿った開閉部１３が設けられているため、作業者が鉄塔１００を昇塔する際には開閉部１３を開状態にすると、被覆部材１０が作業者の昇塔の邪魔になることがなく、昇塔しやすいものとなる。
【００２９】
被覆部材１０を、蛇の通り抜けを規制する網にて構成しているので、種々の鉄塔１００のサイズにも対応することができて汎用性に優れるとともに、被覆部材１０の開閉部１３を開閉しやすいものとなり、使いやすいものとなる。また、軽量なため、被覆部材１０を設置位置まで持ち運びやすく、設置作業が行いやすいものとなって、取付性・取扱性に優れたものとなる。さらに、設置後は被覆部材に雨がたまらないため、長期にわたって蛇の昇塔防止効果を持続させることができる。
【００３０】
被覆部材１０と柱材１、２との隙間を一定に維持するスペーサ１２を設けているので、被覆部材１０の中間位置で被覆部材１０と柱材１、２との間隔を保つことができて、被覆部材１０が弛んで柱材に密着するような変形を防止することができる。これにより、被覆部材１０が長い場合でも蛇の昇塔防止効果を安定して得ることができる。
【００３１】
被覆部材１０は、少なくとも柱材１の下端部から、上方に１．５ｍまでの範囲を包囲するものであるため、全長が長い蛇の昇塔も防止することができ、種々の蛇の昇塔を防止することができる。
【００３２】
被覆部材１０は、直径２０ｃｍ以上となるように柱材１、２を包囲するため、被覆部材１０の表面が緩やかな曲面となって、蛇が巻きつく力が弱くなり、蛇の昇塔を効果的に防止することができる。
【００３３】
図４は、第２実施形態に係る蛇昇塔防止具を示す。この蛇昇塔防止具が取付けられる鉄塔（ＡＧ鉄塔）を構成する各柱材は、図４に示すように、断面がＬ字型の等辺山型鋼（いわゆるアングル）のものを使用している。鉄塔１０１は、コーナー部を構成する主柱材２１と、主柱材２１に連結されて主柱材２１から約４５°傾斜する方向に延びる斜材２２と、主柱材２１と斜材２２とを連結する補助材２３とを有している。主柱材２１にはステップ３６が設けられている。
【００３４】
第２実施形態の蛇昇塔防止具は、図４に示すように、主柱材２１を包囲する被覆部材３１と一対の蓋部材３２ａ、３２ｂとスペーサ３３、及び包囲体３４を備える。主柱材２１を包囲する被覆部材３１は、図５に示すように、前方円弧部２５と後方円弧部２６とからなる。すなわち、ステップ３６の先端部よりも外周側に、その表面に凹凸がない状態で主柱材２１を包囲状とするものであり、被覆部材３１は、補助材２３を有する箇所において不連続となっている。そして、被覆部材３１には、上下方向に沿った開閉部３５が設けられており、被覆部材３１を開閉自在とすることができる。
【００３５】
蓋部材３２ａ、３２ｂは被覆部材３１と主柱材２１との間の隙間の開口部を塞ぐ。スペーサ３３は、前記第１実施形態と同様にして主柱材２１に取付けられる。
【００３６】
包囲体３４は被覆部材３１に連結されており、本実施形態では右側包囲体３４ａと左側包囲体３４ｂとの２つの包囲体３４を有している。右側包囲体３４ａは、被覆部材３１の前方円弧部２５に連結される前方平面部２７ａと、被覆部材３１の後方円弧部２６に連結される後方平面部２８ａとからなる。左側包囲体３４ｂは、被覆部材３１の前方円弧部２５に連結される前方平面部２７ｂと、被覆部材３１の後方円弧部２６に連結される後方平面部２８ｂとからなる。
【００３７】
包囲体３４は、被覆部材３１近傍の柱材２１、２２、２３、具体的には被覆部材３１と同じ上下範囲（主柱材２１の下端部から、上方に１．５ｍまでの範囲）に存在する柱材２１、２２、２３の全体を包囲する。本実施形態では、図５に示すように、一方向（図面上右上）に延びる補助材２３ａを含む上下方向の平面内に存在する柱材２１、２２、２３を右側包囲体３４ａで包囲し、他方向（図面上左上）に延びる補助材２３ｂを含む上下方向の平面内に存在する柱材２１、２２、２３を左側包囲体３４ｂで包囲する。包囲体３４は、被覆部材３１と同様の網を使用している。
【００３８】
このように、第２実施形態の蛇昇塔防止具でも、前記第１実施形態の蛇昇塔防止具と同様の作用効果を奏する。特に、柱材同士の連結部分や、近接する柱材が全て包囲体３４の内側に配置されるため、連結部分や近接する柱材を伝って蛇が昇塔するのを防止することができて、種々の鉄塔１０１において効果的に蛇の昇塔を防止することができる。
【００３９】
第２実施形態の蛇昇塔防止具では、包囲体３４を被覆部材３１に連結するものとしたが、包囲体３４は被覆部材３１を覆うものであってもよい。すなわち、まず、主柱材２１に第１実施形態の蛇昇塔防止具を取付けた後、被覆部材３１及びその近傍の柱材の全体を包囲体３４にて包囲してもよい。
【００４０】
以上、本発明の実施形態及び実施例について説明したが、本発明はこれらに限定されることなく種々の変形が可能である。例えば、スペーサ１２、３３の数は任意に設定することができる。蓋部材１１、３２やスペーサ１２、３３の材質は任意に選択することができ、網の種類（メッシュの大きさ、材質等）は種々のものを採用することができる。網の表面状態は、滑りの良いものが望ましい。被覆部材１０、３１の上下方向寸法は１．５ｍ以上とするのが好ましく、鉄塔付近に生息する蛇の種類に応じて種々設定することができる。蓋部材１１ａ、１１ｂやスペーサ１２の上面には、例えば赤色に着色したり、作業員が足を乗せないような表記をしたりするのが望ましい。
【符号の説明】
【００４１】
１、２  柱材
３  基部
１０、３１  被覆部材
１１、３２  蓋部材
１２、３３  スペーサ
１３、３５  開閉部
３４  包囲体
１００、１０１  鉄塔
【図１】
0005572008.tif 000002
【図２】
0005572008.tif 000003
【図３】
0005572008.tif 000004
【図４】
0005572008.tif 000005
【図５】
0005572008.tif 000006